(57)【要約】【課題】燃焼室で発生する排気が器具の外部に設けられるドレン中和器側に流れない燃焼装置とする。【解決手段】燃焼室２０内に、バーナ１とメインの熱交換器４と潜熱回収用熱交換器６とを設け、燃焼室２０の外部に、潜熱回収用熱交換器６で発生するドレンをケース４０の外部に設けられているドレン中和器に導くドレン導出路３３と、燃焼室２０側からドレン導出路３３側にドレンと共に流れてくる排気をドレンによって水封することにより排気がドレン中和器側に流れることを防ぐ排気の水封器７を設ける。水封器７を形成する第１のドレン貯留槽１１の流出側部から第２のドレン貯留槽１２の流入側部に溢れ出す高さ水位圧力と第２のドレン貯留槽１１の流出側部からドレン導出路３３に溢れ出す高さ水位圧力の和を、ドレン中和器側に排気が流れることを防ぐ水封の水位圧力と成す。【選択図】図１
2008170097.tif 000002
【特許請求の範囲】
【請求項１】
ケース内に設けられた燃焼室内に、バーナと、該バーナの燃焼ガス中の顕熱を吸収するメインの熱交換器と、該メインの熱交換器よりも前記燃焼ガスの流れの下流側に前記メインの熱交換器と位置をずらして設けられて排気潜熱を回収する潜熱回収用熱交換器とが設けられている燃焼装置であって、前記ケース内には前記潜熱回収用熱交換器で発生するドレンを前記ケースの外部に設けられているドレン中和器に導くドレン導出路が設けられており、該ケース内の前記燃焼室外部には前記潜熱回収用熱交換器の下側に、前記燃焼室側から前記ドレン導出路側に前記ドレンと共に流れてくる排気をドレンによって水封することにより排気が前記ドレン中和器側に流れることを防ぐ排気の水封器が設けられていることを特徴とする燃焼装置。
【請求項２】
水封器は、第１のドレン貯留槽と、該第１のドレン貯留槽と並設された第２のドレン貯留槽とを有し、前記第１のドレン貯留槽は貯留槽底面側から起立させた区画壁によって上面に開口部を有する流入側部と、同じく貯留槽底面側から起立させた区画壁によって上面に開口部を有する流出側部とを有して、潜熱回収用熱交換器で発生したドレンが前記流入側部に流入する構成と成し、前記第２のドレン貯留槽は該第２の貯留槽内に上高位置から差し込まれる仕切り壁によりドレンの流入側部とドレンの流出側部とに仕切られて、該仕切り壁の下端側に設けられた連通部により前記流入側部と前記流出側部とが連通しており、前記第１のドレン貯留槽の流出側部から溢れたドレンが前記第２のドレン貯留槽の流入側部に導入され、前記第２のドレン貯留槽の流出側部から溢れ出たドレンがドレン導出路に導入される構成と成し、前記第１のドレン貯留槽の流出側部から前記第２のドレン貯留槽の流入側部に溢れ出す高さ水位圧力と前記第２のドレン貯留槽の流出側部から前記ドレン導出路に溢れ出す高さ水位圧力の和がドレン中和器側に排気が流れることを防ぐ水封の水位圧力と成していることを特徴とする請求項１記載の燃焼装置。
【請求項３】
浴室壁に形成された壁穴に設置されていることを特徴とする請求項１または請求項２記載の燃焼装置。
【発明の詳細な説明】
【技術分野】
【０００１】
本発明は、潜熱回収用熱交換器を備えた燃焼装置に関するものである。
【背景技術】
【０００２】
図７は、浴室に設置される風呂装置の一般的な従来例を示す。この従来例の風呂装置は、風呂設置スペース５２に浴槽２６とバランス風呂釜４５を並設し、浴室壁１０の壁穴１６にバランス風呂釜４５の給排気筒５０を設置したものである。しかしながら、このように、比較的狭い風呂設置スペース５２に、バランス風呂釜４５と浴槽２６を並設すると、浴槽２６は必然的に小型なものにしなければならないので、窮屈な姿勢で浴槽２６に入浴しなければならず、ゆったりした気分で入浴を楽しむことができないものであった。
【０００３】
そこで、バランス風呂釜４５の買い換え時に、利用者は、バランス風呂釜４５の代わりに、例えば、自動湯張り機能を備えた給湯器を購入し、図６に示されるように、その給湯器１７を今まで給排気筒５０を設置していた壁穴１６内に嵌め込み設置し、バランス風呂釜４５のスペース分だけ大きい浴槽２６を風呂設置スペース５２に設置して、住環境のレベルアップを図ることが行われている。なお、図６中の符号１８は、浴槽２６のエプロンに取り付けられた混合水栓を示す。
【０００４】
給湯器の構成としては、様々なものが提案され、実用化も行われており、その一例が、図４に、模式的に示されている。（例えば、特許文献１、参照。）。同図において、ケース（器具ケース）４０内に設けられた燃焼室２０内には、バーナ１が配置され、このバーナ１にはバーナ１に燃料を供給するガス管４２が接続され、このガス管４２にはバーナ１への燃料供給・停止を制御するための開閉弁（図示せず）と、バーナ１への供給燃料量を弁開度でもって制御することができる比例弁（図示せず）とが介設されている。
【０００５】
バーナ１の下方側には、バーナ１の燃焼の給排気を行なう燃焼ファン５が設けられている。この給湯器は、燃焼ファン５の回転によって外部より吸気する空気をバーナ１に送り、この空気と、ガス管４２を通って供給されるガスとによってバーナ燃焼を行い、かつ、バーナ燃焼により生じた燃焼ガスを、燃焼ファン５の回転によって、燃焼室２０から排気口８側に送って排気する。
【０００６】
上記バーナ１の上側には、バーナ１の燃焼ガス中の顕熱を回収するメインの熱交換器（一次熱交換器）４と、このメインの熱交換器４よりも前記燃焼ガスの流れの下流側に設けられて、燃焼ガスの顕熱および潜熱を回収する潜熱回収用熱交換器（二次熱交換器）６が互いに間隔を介して配置されている。それぞれの熱交換器４，６は、例えばバーナ１の燃焼ガスの熱を受ける水を通す金属製等の受熱管路３４，３６と、受熱管路３４，３６の外側に、受熱管路３４，３６と略垂直に設けた複数のフィン３５，３７とを有し、フィン３５，３７は互いに間隔を介して設けられている。なお、給湯器１７には、フィン３７を有していない潜熱回収用熱交換器６を有するものもある。
【０００７】
潜熱回収用熱交換器６の入口側には、水供給源から潜熱回収用熱交換器６に水を導く給水管４６が接続されており、潜熱回収用熱交換器６の出口側とメインの熱交換器４の入り口側は、接続管４８を介して接続されている。また、メインの熱交換器４の出口側には給湯管４７が接続されている。なお、図６は、給水管４６、給湯管４７、接続管４８をそれぞれ線状矢印によって模式的に示しているが、これら給水管４６、給湯管４７、接続管４８は、水を流通する、例えば断面が円形状の管路により形成されている。
【０００８】
通常、給水管４６には、給水管４６から供給されて潜熱回収用熱交換器６へ流れ込む水の入水温度を検出する入水サーミスタ（図示せず）と、潜熱回収用熱交換器６へ流れ込む水の流量を検出する水量センサ（図示せず）とが設けられており、また、給湯管４７には流れ出る湯の温度を検出することができる出湯サーミスタ（図示せず）が設けられている。
【０００９】
この給湯管４７に湯張り用の注湯管（図示せず）を接続し、この注湯管を介して浴槽２６に湯張りを行えるようにすると、浴槽２６への自動湯張りが可能な給湯器を形成でき、また、この給湯器に、浴槽湯水の追い焚き機能を設ければ、浴槽の追い焚きも可能な複合給湯器を形成できる。なお、これらの自動湯張り構成とその機能や、浴槽湯水の追い焚き構成とその機能は、様々なものが提案されているが、周知であり、ここでは、その詳細説明は省略する。
【００１０】
潜熱回収用熱交換器６を有する給湯器等の燃焼装置においては、潜熱回収用熱交換器６で発生するドレン（凝縮水の水滴）を回収し、ケース４０の外部に排出することが必要であり、この例では、潜熱回収用熱交換器６の下側にドレンの受け皿４３を設け、受け皿４３にたまったドレンを、ドレン管４４を介してケース４０の外部に排出するようにしている。なお、ドレンは、燃焼ガス中の窒素酸化物（ＮＯｘ）、硫黄酸化物（ＳＯｘ）等を含むため、ｐＨ２〜４の強酸性であり、例えば炭酸カルシウム等を粒状にしたもの等をドレンに混ぜて中和する必要がある。ドレンは、炭酸カルシウムと反応することで中性を示す硝酸カルシウムとなる。
【００１１】
前記バーナ１の燃焼制御と、前記燃焼ファン５の回転制御は、前記各センサの検出信号に基づき、燃焼制御装置（図示せず）により、予め与えられたシーケンスプログラムにしたがって行われており、前記の如く、ガス管４２から供給されるガスと燃焼ファン５により送られる空気とによってバーナ１の燃焼が行われる。給湯器は、このバーナ１の燃焼に伴い、水を給水管４６から潜熱回収用熱交換器６とメインの熱交換器４を順に通して湯を作りだし、給湯管４７を介して台所等の給湯先に導いて給湯する給湯機能を備えている。
【００１２】
なお、潜熱回収用熱交換器６を備えた給湯器において、バーナ１からの高温の燃焼ガスは、例えば図４の破線矢印に示すように、バーナ１の上側からメインの熱交換器４の配設領域を通り、この例では、潜熱回収用熱交換器６の配置領域側に水平方向側から入り込む。そして、潜熱回収用熱交換器６の配設領域を通った燃焼ガスは、排気口８側から排気される。
【００１３】
そして、燃焼ガスがメインの熱交換器４を通過する間に、燃焼ガスとメインの熱交換器４に供給される水との間で熱交換が行われ、燃焼ガスの顕熱が回収される。また、メインの熱交換器４を通過した燃焼ガスが潜熱回収用熱交換器６を通過する間に、燃焼ガスと潜熱回収用熱交換器６に供給される水との間で熱交換することで、燃焼ガスの顕熱および潜熱が回収される。
【００１４】
潜熱回収用熱交換器６による燃焼ガスの潜熱回収は、水蒸気を含んだ燃焼ガスを飽和温度以下の低温伝熱面に接触させて燃焼ガス中の水蒸気を凝縮させることにより行われる。すなわち、水蒸気が凝縮する際に発生する凝縮潜熱を回収するものであり、通常は、燃焼ガスとして給湯器等の燃焼系の外に排出されてしまう燃焼ガスの水蒸気の持つエンタルピーを回収するものである。
【００１５】
このように、潜熱回収用熱交換器６を備えた給湯器等の燃焼装置においては、バーナ１の燃焼による燃焼ガスが潜熱回収用熱交換器６を通るときに、潜熱回収用熱交換器６内の水管を通る水が、燃焼ガス中の水蒸気が保有している潜熱を奪って（潜熱を回収して）温度を高め、さらにメインの熱交換器４を通るときに、バーナ１の燃焼火力でもって加熱されて設定温度の湯が作り出されるので、バーナ１によって効率の良い加熱ができる。
【００１６】
つまり、潜熱回収用熱交換器６を設けることにより、例えば給湯器においては、高位発熱量（総発熱量）ベースで熱効率が約９０％以上に達し、潜熱回収用熱交換器６が設けられていない通常の給湯器に比べ、高い熱効率が達成される。そのため、新規に燃焼装置を設置する時はもちろんのこと、例えば前記バランス風呂釜４５の買い換え時を始めとした燃焼装置の買い換え時に、潜熱回収用熱交換器６を備えた燃焼装置を適用することが検討されている。
【００１７】
【特許文献１】特開平１０−３００２４１号公報
【発明の開示】
【発明が解決しようとする課題】
【００１８】
しかしながら、例えば公団住宅やマンション等の集合住宅等では、浴室の外壁がベランダ等の共有部分に面していることが多く、液状のドレンを浴室外壁の外側に流出させると、利用者は非常に不快な思いをすることになる。そこで、例えば、前記バランス風呂釜４５の買い換え時に、図６に示したように、浴室壁１０に給湯器１７等を配置する場合には、図５に示すように、ドレン中和器３を浴室３０内に配置し、給湯器１７から流出するドレンを、ドレン中和器３を介して浴室３０の排水口（浴室排水口１５）に導くことが考えられる。
【００１９】
なお、この場合、ドレンと共に、燃焼室２０内の排気がドレン中和器３側に流れることになるので、ドレン中和器３には、排気が浴室３０内に流れないようにする構成、例えば排気の水封構成が必要となる。
【００２０】
しかしながら、ドレン中和器３側に排気の水封構成を設けても、例えば施工業者が誤って給湯器１７にドレン中和器３を接続しなかったり、給湯器１７とドレン中和器３との接続は正しく行われても、その給湯器１７とドレン中和器３とを接続する例えばゴム製の接続管が経年劣化を起こして接続管に穴が空いたり、掃除等の際に接続管に薬剤がかかることにより、接続管が劣化して穴が空いたりすると、排気が浴室３０内に漏れるおそれがある。排気が浴室３０内に漏れると、浴室３０内の空気が汚れ、場合によっては危険が生じる可能性も考えられる。
【００２１】
本発明は、上記課題を解決するために成されたものであり、その目的は、たとえ燃焼装置とドレン中和器との接続が適切に行われない状態となっても、排気が浴室等に漏れることを防止できる燃焼装置を提供することにある。
【課題を解決するための手段】
【００２２】
上記目的を達成するために、本発明は次のような構成をもって課題を解決するための手段としている。すなわち、本発明は、ケース内に設けられた燃焼室内に、バーナと、該バーナの燃焼ガス中の顕熱を吸収するメインの熱交換器と、該メインの熱交換器よりも前記燃焼ガスの流れの下流側に前記メインの熱交換器と位置をずらして設けられて排気潜熱を回収する潜熱回収用熱交換器とが設けられている燃焼装置であって、前記ケース内には前記潜熱回収用熱交換器で発生するドレンを前記ケースの外部に設けられているドレン中和器に導くドレン導出路が設けられており、該ケース内の前記燃焼室外部には前記潜熱回収用熱交換器の下側に、前記燃焼室側から前記ドレン導出路側に前記ドレンと共に流れてくる排気をドレンによって水封することにより排気が前記ドレン中和器側に流れることを防ぐ排気の水封器が設けられている構成をもって課題を解決する手段としている。
【００２３】
また、第２の発明は、上記第１の発明の構成に加え、前記水封器は、第１のドレン貯留槽と、該第１のドレン貯留槽と並設された第２のドレン貯留槽とを有し、前記第１のドレン貯留槽は貯留槽底面側から起立させた区画壁によって上面に開口部を有する流入側部と、同じく貯留槽底面側から起立させた区画壁によって上面に開口部を有する流出側部とを有して、潜熱回収用熱交換器で発生したドレンが前記流入側部に流入する構成と成し、前記第２のドレン貯留槽は該第２の貯留槽内に上高位置から差し込まれる仕切り壁によりドレンの流入側部とドレンの流出側部とに仕切られて、該仕切り壁の下端側に設けられた連通部により前記流入側部と前記流出側部とが連通しており、前記第１のドレン貯留槽の流出側部から溢れたドレンが前記第２のドレン貯留槽の流入側部に導入され、前記第２のドレン貯留槽の流出側部から溢れ出たドレンがドレン導出路に導入される構成と成し、前記第１のドレン貯留槽の流出側部から前記第２のドレン貯留槽の流入側部に溢れ出す高さ水位圧力と前記第２のドレン貯留槽の流出側部から前記ドレン導出路に溢れ出す高さ水位圧力の和がドレン中和器側に排気が流れることを防ぐ水封の水位圧力と成していることを特徴とする。
【００２４】
さらに、第３の発明は、上記第１または第２の発明の構成に加え、燃焼装置は、浴室壁に形成された壁穴に設置されていることを特徴とする。
【発明の効果】
【００２５】
本発明によれば、ケース内の燃焼室内にメインの熱交換器と潜熱回収用熱交換器とが設けられ、燃焼室外にはドレンをケースの外部に設けられているドレン中和器に導くドレン導出路が設けられているが、ケース内の燃焼室外には、燃焼室側から前記ドレンと共にドレン導出路側に流れてくる排気をドレンによって水封することにより、排気が前記ドレン中和器側に流れることを防ぐ排気の水封器が設けられているので、排気が燃焼装置内で水封され、ドレン導出路を通ってケース外部に流れることを防げる。そのため、たとえドレン中和器と燃焼装置との接続が良好に行われていなくても、排気がケース外部に流れて、例えば浴室内に流れることによる問題を回避できる。
【００２６】
また、本発明において、水封器が、第１のドレン貯留槽と、該第１のドレン貯留槽と並設された第２のドレン貯留槽とを有し、第１のドレン貯留槽の流出側部から溢れたドレンが前記第２のドレン貯留槽の流入側部に導入され、前記第２のドレン貯留槽の流出側部から溢れ出たドレンがドレン導出路に導入される構成と成しているものにおいては、第１のドレン貯留槽の流出側部から前記第２のドレン貯留槽の流入側部に溢れ出す高さ水位圧力と前記第２のドレン貯留槽の流出側部から前記ドレン導出路に溢れ出す高さ水位圧力の和を、ドレン中和器側に排気が流れることを防ぐ水封の水位圧力と成すことにより、排気の水封を確実に行うことができる。
【００２７】
また、１つのドレン貯留槽を設けた水封器により排気を水封する場合、そのドレン貯留槽のドレン流出側からドレン導出路に溢れ出す高さ水位圧力を、ドレン中和器側に排気が流れることを防ぐ水封の水位圧力と成す必要があるが、前記第１と第２のドレン貯留槽を並設して成る水封器を備えた本発明によれば、第１のドレン貯留槽の流出側部から前記第２のドレン貯留槽の流入側部に溢れ出す高さ水位圧力と前記第２のドレン貯留槽の流出側部から前記ドレン導出路に溢れ出す高さ水位圧力の和を、ドレン中和器側に排気が流れることを防ぐ水封の水位圧力と成せばよいので、第１と第２のドレン貯留槽の高さを低くできる。そのため、この発明によれば、燃焼装置の高さが低くても、潜熱回収用熱交換器の下側に水封器を配置できるので、コンパクトで、排気の水封効果を十分に発揮できる燃焼装置を実現できる。
【００２８】
さらに、本発明の燃焼装置を、例えばバランス風呂釜の代わりに、浴室壁に形成された壁穴に設置することにより、風呂スペースの有効利用を行えるし、潜熱回収用熱交換器を有する燃焼装置により高効率での燃焼を行うことができ、しかも、潜熱回収用熱交換器で発生するドレンを、例えば浴槽内に設けたドレン中和器により中和するようにして、快適に、かつ、安全に処理することができる。
【発明を実施するための最良の形態】
【００２９】
以下、本発明の実施の形態を、図面を参照して説明する。なお、本実施形態例の説明において、これまでの説明に示した例と同一名称部分には同一符号を付し、その重複説明は省略又は簡略化する。
【００３０】
図１には、本発明に係る燃焼装置の一実施形態例としての給湯器の構成が、その配管構成を省略した模式的な断面図により示されている。同図に示すように、本実施形態例の給湯器１７は、浴室壁１０に形成された壁穴１６に配置されており、この給湯器１７は横方向の長さが縦方向に長さよりも大きく形成されている。
【００３１】
本実施形態例の給湯器１７は、図４に示した給湯器と同様に、潜熱回収用熱交換器６を備えた燃焼装置であり、ケース４０内に設けられた燃焼室２０内に、バーナ１と、メインの熱交換器４と潜熱回収用熱交換器６とを設けて構成されているが、メインの熱交換器４と潜熱回収用熱交換器６とは位置をずらして（ここでは、壁穴１６の貫通方向に並設して）設けられている。また、燃焼ファン５は、バーナ１の配置領域に隣接した送風室２５の上側に設けられており、燃焼ファン５の回転に伴い、吸気口９からケース４０内に吸い込まれた空気が、図の矢印Ｄに示すように、燃焼ファン５の入側には入り込み、さらに、その空気が、図の矢印Ａに示すように、バーナ１に空気を送り込まれるようになっている。
【００３２】
そして、この空気と、バーナ１に送られる燃料のガスとによって、バーナ１の燃焼が行われ、その燃焼ガスは、図の矢印Ｂに示すように、メインの熱交換器４と潜熱回収用熱交換器６とを通って排気口８から排気される。なお、メインの熱交換器４と潜熱回収用熱交換器６による燃焼ガス中の顕熱や潜熱の回収、給水機能や給湯機能および湯張り機能等は、図４に示した給湯器と同様であり、その説明は省略する。
【００３３】
本実施形態例において、ケース４０内には、前記燃焼室２０の下側に、ドレン導出路３３が設けられている。ドレン導出路３３は、潜熱回収用熱交換器６で発生するドレンを、図の矢印Ｃに示すように、ケース４０の外部に設けられているドレン中和器３（同図には図示せず）に導くものであり、ドレン導出路３３の出口が、中和器接続部３２と成している。ドレン中和器３は、この中和器接続部３２に、例えばゴム管等の適宜の接続手段を介して接続されるようになっている。
【００３４】
本実施形態例において、ケース４０内の燃焼室外部には、潜熱回収用熱交換器６の下側に、特徴的な水封器７が設けられている。前記燃焼ガスの排気の一部は、図１の矢印B’に示すように、ドレンと共に、潜熱回収用熱交換器６の下側に流れるものであり、前記水封器７は、燃焼室２０側からドレン導出路３３側にドレンと共に流れてくる排気をドレンによって水封し、排気がドレン導出路３３を介して前記ドレン中和器３側に流れることを防ぐ排気の水封器である。
【００３５】
この水封器７は、第１のドレン貯留槽１１と、該第１のドレン貯留槽１１と並設された第２のドレン貯留槽１２とを有している。第１のドレン貯留槽１１は貯留槽底面から起立させた区画壁２ａ，２ｂによって上面に開口部を有する流入側部１３と、同じく貯留槽底面から起立させた区画壁２ｃ，２ｄによって上面に開口部を有する流出側部１４とを有して、断面がＵ字形状に形成されており、前記潜熱回収用熱交換器６で発生したドレンが流入側部１３に流入する構成と成している。なお、流入側部１３と流出側部１４の上面には、例えば図２（ｂ）に示すように、１つ以上（この図では複数）の孔部を形成した上板部２１ａを設けてもよい。
【００３６】
また、前記第２のドレン貯留槽１２は該第２の貯留槽１２内に上高位置から差し込まれる仕切り壁２２によりドレンの流入側部２３とドレンの流出側部２４とに仕切られて、該仕切り壁２２の下端側に設けられた連通部１９により前記流入側部２３と前記流出側部２４とが連通している。なお、この例では、仕切り壁２２を第２の貯留槽１２の底面と間隔を介した位置まで伸設することにより、この間隔を連通部１９としているが、連通部１９は、例えば仕切り壁２２に形成した貫通孔により形成してもよい。また、流入側部２３と流出側部２４の上面に、例えば図２（ｂ）に示すように、１つ以上（この図では複数）の孔部を形成した上板部２１ｂを設けてもよい。
【００３７】
本実施形態例において、水封器７は、前記第１のドレン貯留槽１１の流出側部１４から溢れたドレンが前記第２のドレン貯留槽１２の流入側部２３に導入され、第２のドレン貯留槽１２の流出側部２４から溢れ出たドレンが前記ドレン導出路３３に導入される構成と成している。
【００３８】
そして、第１のドレン貯留槽１１の流出側部１４から第２のドレン貯留槽１２の流入側部２３に溢れ出す高さ水位圧力と、第２のドレン貯留槽１２の流出側部２４からドレン導出路３３に溢れ出す高さ水位圧力の和が、ドレン中和器３側に排気が流れることを防ぐ水封の水位圧力と成している。具体的には、図２（ａ）のＳに示す、第１のドレン貯留槽１１の水封高さを３７ｍｍとし、同図のＴに示す、第２のドレン貯留槽１２の水封高さを４０ｍｍとしている。この構成により、本実施形態例では、水封器７が排気の水封を良好に行えるようになっている。
【００３９】
なお、本実施形態例において、ドレン導出路３３に沿って空気通路３１が形成されており、この空気通路３１は、例えばドレンが水封器７から燃焼室２０側に逆流することを防ぐ役割を果たす。
【００４０】
以下に、本実施形態例における水封器７の機能を具体的に示す。例えば、一般的な住宅において、台所等で換気扇を回すと、台所内の圧力は、換気扇を回さないときの０に対し、水位高さとして−１５ｍｍの圧力（負圧）となり、浴室３０の圧力も同様に、水位高さとして−１５ｍｍの負圧となる。なお、ここで、この水位圧力を−１５ｍｍＨ２Ｏと示すように、水位圧力の単位を、便宜上、ｍｍＨ２Ｏとして示すことにする。
【００４１】
このとき、給湯器１７の燃焼ファン５を回転させると、図１の矢印Ｄに示すように、吸気口９から燃焼ファン５に吸気が流れ、この給気通路部分（ケース４０内における燃焼室２０の外側の、吸気口９から燃焼ファン５の空気入口に至る部分）は、−５〜−１０ｍｍＨ２Ｏとなる。そして、同図の矢印Ａ、Ｂに示す空気の流れが生じ、燃焼ファン５の空気出口から排気口８までの間は、その圧力が１０〜１５ｍｍＨ２Ｏとなる。同様に、矢印Ｂ’に示すように、水封器７にも同じ圧力（１０〜１５ｍｍＨ２Ｏ）がかかるが、本実施形態例において、水封器７の第１のドレン貯留槽１１の水封高さは３７ｍｍであるので、排気を第１のドレン貯留槽１１により水封でき、ドレン導出路３３側には流れることを防ぐことができる。
【００４２】
また、本実施形態例では、矢印Ｂ’に示す排気の圧力がさらに高くなったときでも、以下のように、水封器７により排気を水封できるようになっている。つまり、例えば、家屋（例えばマンションやアパート等）の修繕工事等のために家屋の外壁がビニールシート等で覆われているときに、前記の如く、台所等の換気扇が回され、給湯器１７の燃焼ファン５が回転し、さらに、前記ビニールシートが外からの風等の影響で給湯器１７の排気口８を完全に塞ぐような形になると、給湯器１７内の排気は行き場を失ってしまい、燃焼ファン５の空気出口から排気口８までの間の排気の圧力は、６５ｍｍＨ２Ｏ程度と高くなる。
【００４３】
そうすると、図２（ａ）に示すように、第１のドレン貯留槽１１の第１のドレン貯留槽１１の水封高さＳは３７ｍｍであるので、この水封は破られるが、排気は、第１のドレン貯留槽１１の水封のために、第１のドレン貯留槽１１の流出側部１４から気泡となって吹き出す。この吹き出し圧力は、６５−３７＝２８ｍｍＨ２Ｏとなり、前記の如く、給湯器１７のケース４０内における燃焼室２０の外側の、吸気口９から燃焼ファン５の空気入口に至る部分は−５〜−１０ｍｍＨ２Ｏとなっていることから、第１のドレン貯留槽１１の流出側部１４からの吹き出し圧力が弱められ（２８ｍｍＨ２Ｏ未満となり）、第２のドレン貯留槽１２の流入側部２３に加えられる押し圧力は、例えば１０ｍｍＨ２Ｏとなる。
【００４４】
一方、前記の如く、浴室３０の圧力は−１５ｍｍＨ２Ｏとなっているので、第２のドレン貯留槽１２の流出側部２４側は、１５ｍｍＨ２Ｏで引っ張られることになるため、排気が第２のドレン貯留槽１２の流入側部２３側から流出側部２４側に流れようとする水位圧力は、例えば、約１０＋１５＝約２５ｍｍＨ２Ｏとなる。ここで、本実施形態例では、第２のドレン貯留槽１２の水封高さＴが４０ｍｍであることから、排気を第２のドレン貯留槽１２により水封でき、ドレン導出路３３側には流れることを防ぐことができる。
【００４５】
本実施形態例は以上のように構成されており、給湯器７のケース４０内に、ドレンと共にドレン導出路３３側に流れる排気の水封器７を設けることにより、排気圧力が非常に高くなっても、排気を給湯器１７内で水封できるので、たとえドレン中和器３と給湯器１７との接続が良好に行われていなくても、排気がドレン導出路３３を通って浴室３０内に流れるということを防ぐことができる。
【００４６】
また、本実施形態例に適用している水封器７は、第１のドレン貯留槽１１と第２のドレン貯留槽１２とを並設して形成されており、第１のドレン貯留槽１１の流出側部１４から第２のドレン貯留槽１２の流入側部１３に溢れ出す高さ水位圧力と第２のドレン貯留槽１２の流出側部２４からドレン導出路３３に溢れ出す高さ水位圧力の和を、ドレン中和器３側に排気が流れることを防ぐ水封の水位圧力と成すことにより、前記排気を水封できるので、第１と第２のドレン貯留槽１１，１２の高さを低くでき、水封器７の高さを低くでき、コンパクトで、排気の水封効果を十分に発揮できる給湯器を実現できる。
【００４７】
さらに、本実施形態例では、潜熱回収用熱交換器６の下側の、前記吸気口９の近くに水封器７を設けており、水封器７の配置位置は、前記燃焼ファン５から遠い位置になるために、以下のような効果を奏することができる。
【００４８】
給湯器１７を工場から出荷するときには、水封器７内にドレンが入っていない状態として（工場におけるテスト中に発生したドレンは抜き取って）出荷するので、給湯器１７の設置後の、工事業者による試運転の燃焼開始時から例えば１〜２分程度は、水封器７内にドレンが無い状態でのバーナ燃焼となる。そのため、このときは、水封器７による排気の水封はされず、水封器７から漏れた排気が給湯器１７内を逆流して燃焼ファン５に至る、いわゆる、再循環による燃焼悪化現象が発生する。
【００４９】
なお、その後、試運転が続行されて、水封器７にドレンが溜まり、水封器７による排気の水封が行われるようになるので、利用者が給湯器１７を利用する際に、前記再循環による燃焼悪化現象が生じるおそれはないが、たとえ試運転時であっても、前記再循環による燃焼悪化現象の発生はできるだけ押さえたいものである。燃焼ファン５を回転させることにより給湯器１７内で発生する負圧は、燃焼ファン５の吸い込み口（入口）側で最も大きく、吸気口９の近傍は最も小さくなり、再循環による燃焼悪化現象の発生できるだけ押さえるためには、負圧が小さい領域、つまり、吸気口９の近傍に水封器７を設けることが好ましい（燃焼ファン５に近いほど、負圧が大きいので再循環しやすく燃焼悪化が激しくなる）。
【００５０】
本実施形態例は、前記の如く、水封器７の配設位置を吸気口９に近い位置とすることにより、再循環による燃焼悪化現象の発生をできるだけ押さえることができ、この点も、本実施形態例の特長である。
【００５１】
なお、本発明は上記実施形態例に限定されることはなく、様々な態様を採り得る。例えば、上記実施形態例では、水封器７の第１のドレン貯留槽１１は、断面がＵ字形状となるように形成したが、例えば図２（ｃ）に示すように、区画壁２ｄと区画壁２ｃとを一緒にして仕切り壁とし、この仕切り壁により流入側部１３と流出側部１４とを仕切り、この仕切り壁の下側に設けた連通部を介して連通する態様に形成してもよい。
【００５２】
また、上記実施形態例では、水封器７は、第１のドレン貯留槽１１と第２のドレン貯留槽１２とを並設して形成したが、水封器７の構成は、上記実施形態例の構成に限定されることはなく、例えば、潜熱回収用熱交換器６の下側の高さスペースが広ければ、図３に示すように、１つのドレン貯留槽２９を設けて構成してもよい。
【００５３】
なお、この場合、ドレン貯留槽２９のドレン導出路３３に溢れ出す高さ水位圧力が、前記燃焼室２０側から第１のドレン貯留槽１１側に加えられる排気の圧力よりも大きくなるようにするために、水封器７の高さはそれだけ高くなる（例えば７５ｍｍ程度〜８０ｍｍ程度必要となる）。給湯器１７等の燃焼装置を、浴室３０の壁穴１６に設ける場合には、給湯器１７の高さを壁穴１６の高さ以下にしなくてはならず、潜熱回収用熱交換器６による潜熱回収を効率良く行うための、潜熱回収用熱交換器６の配設スペースを考慮すると、上記実施形態例のように、第１のドレン貯留槽１１と第２のドレン貯留槽１２とを並設して形成することが好ましい。
【００５４】
さらに、上記実施形態例では、ドレン導出路３３に沿って空気通路３１を形成したが、空気通路３１の形成箇所は適宜設定されるものである。また、空気通路３１は、例えばドレン中和器３の配設を浴室排水口１５に接続するといった場合に、ドレンが燃焼室２０側に逆流することを防ぐものであるから、ドレンの逆流の可能性がない場合には省略することもできる。
【００５５】
さらに、上記実施形態例は、燃焼装置として、ガス燃焼式の給湯器１７について説明したが、本発明の燃焼装置は給湯器とは限らず、風呂釜等、適宜の燃焼装置を適用することができるし、その燃焼方式も、石油燃焼式のものとしてもよい。
【００５６】
さらに、上記実施形態例では、給湯器１７を浴室３０の壁穴１６に設置する例を述べたが、給湯器１７等の燃焼装置の配置位置は適宜設定されるものである。
【図面の簡単な説明】
【００５７】
【図１】本発明に係る燃焼装置の一実施形態例を模式的に示す説明図である。
【図２】本発明に係る燃焼装置に適用されるドレン貯留槽の例を示す断面説明図である。
【図３】本発明に係る燃焼装置の他の実施形態例を模式的に示す説明図である。
【図４】潜熱回収用熱交換器を備えた燃焼装置の一例を模式的に示す説明図である。
【図５】燃焼装置にドレン中和器を接続して浴室内に配置する構成を説明するための模式図である。
【図６】バランス風呂釜を取り除き、その設置スペースだけ大型の浴槽を風呂設置スペースに設置した浴室構造を示す説明図である。
【図７】風呂設置スペースにバランス風呂釜と浴槽とを並設した浴室構造を示す説明図である。
【符号の説明】
【００５８】
１  バーナ
３  ドレン中和器
４  メインの熱交換器
５  燃焼ファン
６  潜熱回収用熱交換器
７  水封器
１１  第１のドレン貯留槽
１２  第２のドレン貯留槽
１３，２３  流入側部
１４，２４  流出側部
１６  壁穴
１９  連通部
２２  仕切り壁
３３  浴室
３３  ドレン導出路
【図１】
2008170097.tif 000003
【図２】
2008170097.tif 000004
【図３】
2008170097.tif 000005
【図４】
2008170097.tif 000006
【図５】
2008170097.tif 000007
【図６】
2008170097.tif 000008
【図７】
2008170097.tif 000009